(57)【特許請求の範囲】
【請求項１】
下面に脚体が設けられたベースフレーム及びこのベースフレームの上面に設けられたスプリングユニットからなる基体と、
この基体に着脱可能に設けられる背凭れ体とを具備し、
上記背凭れ体は、一端部が上記基体の上面側に位置し他端部が下面側に位置するよう曲成された背もたれフレームと、
この背もたれフレームの一端部に設けられ下端が上記基体の一端部上面に当接する背凭れ部材と、
上記背もたれフレームの他端部に設けられ上記背凭れ部材の下端の上記基体の上面に当接する位置よりも上記基体の一端部下面の内方に当接する側面形状が直線状の当接部と
によって構成されていることを特徴とするソファー装置。
【発明の詳細な説明】
【０００１】
【発明の属する技術分野】
この発明は背凭れ体を有するソファー装置に関する。
【０００２】
【従来の技術】
一般に、ソファー装置は、基体としての平面形状が矩形状のクッション体を有し、このクッション体の奥行き方向の後端には背凭れ体が設けられている。そして、上記クッション体に着座した利用者は上記背凭れ体に寄り掛かることで楽な姿勢をとることができる。
【０００３】
一方、ソファー装置はベッドとして利用することもあり、その場合、できるだけ広いベッド面を確保できるようにすることが要求される。
【０００４】
【発明が解決しようとする課題】
従来、ソファー装置を利用する場合、上記背凭れ体は上記クッション体の所定の位置に固定して設けられていた。そのため、ソファー装置をベッドとして利用する場合、上記背凭れ体がクッション体の上面に突出しているため、ベッド面として利用できるクッション体の上面の有効利用面積が狭くなり、利用しにくいということがあった。
【０００５】
また、背凭れ体がクッション体の所定の位置に固定されていると、ソファー装置として利用する場合の利用形態が制限されるということがある。つまり、背凭れ体をクッション体の長手方向と交差する前後方向の後方に設けると、背凭れ体に寄り掛かった利用者は脚部をクッション体の前方から下方に下ろした姿勢となり、長手方向一端側に背凭れ体を設けた場合のように、クッション体の上面に脚部を伸ばした姿勢をとることができなため、使い勝手が悪く不便であるということがある。
【０００６】
この発明は、基体に背凭れ体を簡単に、しかも取付け場所に制限を受けることなく着脱可能に設けることができるようにとともに、取付け状態においては利用者が安定した状態で寄り掛かることができるようにしたソファー装置を提供することにある。
【０００７】
【課題を解決するための手段】
請求項１の発明は、下面に脚体が設けられたベースフレーム及びこのベースフレームの上面に設けられたスプリングユニットからなる基体と、
この基体に着脱可能に設けられる背凭れ体とを具備し、
上記背凭れ体は、一端部が上記基体の上面側に位置し他端部が下面側に位置するよう曲成された背もたれフレームと、
この背もたれフレームの一端部に設けられ下端が上記基体の一端部上面に当接する背凭れ部材と、
上記背もたれフレームの他端部に設けられ上記背凭れ部材の下端の上記基体の上面に当接する位置よりも上記基体の一端部下面の内方に当接する側面形状が直線状の当接部と
によって構成されていることを特徴とするソファー装置にある。
【００１１】
請求項１の発明によれば、背凭れ体は、背凭れ部材と当接部によって基体の上面と下面とを挟み込む状態で設けられるから、基体に対して着脱可能であり、しかも取付け位置に制限を受けることがない。しかも、当接部が基体の下面に当接する位置が背凭れ部材の下端が基体の上面に当接する位置よりも、基体の内方にあることで、利用者が背凭れ部材に寄り掛かると、背凭れ部材の下端が基体の上面に圧接し、当接部が基体の下面に圧接するから、背凭れ体が後方へずれ動きにくい。
【００１３】
【発明の実施の形態】
以下、この発明の実施の形態を図面を参照して説明する。
【００１４】
図１乃至図５はこの発明の第１の実施の形態を示し、図４はソファー装置の斜視図を示す。このソファー装置は基体としての平面形状が矩形状のクッション体１を備えている。このクッション体１はベースフレーム２を有する。このベースフレーム２は図３に示すように矩形状の枠フレーム２ａの長手方向に対して所定間隔で複数の短尺桟２ｂが架設され、長手方向と交差する幅方向に対して２本の長尺桟２ｃが架設されてなる。
【００１５】
上記ベースフレーム２の下面四隅部には脚体３が設けられている。また、ベースフレーム２の上面には載置板４が設けられ、この載置板４上にはスプリングユニット５が配設されている。スプリングユニット５は、行列状に連結された複数のコイルスプリング６からなる。このスプリングユニット５の上面にはシート状のクッション材７が接合され、このクッション材７は外装地８によって被覆されている。
【００１６】
上記構成のクッション体１には背凭れ体１１が着脱可能に設けられる。この背凭れ体１１は背凭れフレーム１２を有する。この背凭れフレーム１２は、図５（ａ），（ｂ）に示すようにパイプ材を側面形状がほぼ円弧状になるよう曲成した一対の湾曲部１２ａが所定の幅寸法で形成されている。一対の湾曲部１２ａの離間した一端部には背凭れ部材１３が取付けられている。この背凭れ部材１３は一対の湾曲部１２ａの一端部に連結固定された基板１３ａと、この基板１３ａの前面に設けられたクッション材１３ｂとによって形成されている。
【００１７】
上記背凭れフレーム１２の湾曲部１２ａの他端部先端は平面形状が円弧状で、側面形状が所定長さの直線状の当接部１４に形成されている。この当接部１４は上記背凭れ部材１３よりも前方に突出している。
【００１８】
したがって、背凭れフレーム１２の湾曲部１２ａの他端部先端は広い当接面を構成するので、ベーフレーム２の枠フレーム２ａを構成する短尺桟２ｂと長尺桟２ｃとの当接位置を限定されることがない。
【００１９】
図５（ｂ）にＧで示す上記背凭れ部材１３の下端と当接部１４との間隔は図１にＴで示す上記クッション体１の厚さ寸法よりもわずかに大きくなるよう設定されている。
【００２０】
それによって、上記背凭れ体１１は、図１と図２に示すように、背凭れ部材１３と当接部１４とでクッション体１の上面と下面とを挟む状態で上記クッション体１に装着される。
【００２１】
このように、背凭れ体１１は、背凭れ部材１３と当接部１４とでクッション体１の上面と下面とを挟み込む状態で上記クッション体１に装着されるから、図４に実線で示すようにクッション体１の長手方向一端部や鎖線１１Ｘで示すように前後方向の一端部など、利用者が所望する位置に自由に装着位置を変換することができる。しかも、図４に実線と鎖線１１Ｙで示すようにクッション体１の背凭れ体１１の奥行き方向の位置を変えて使用することもできる。
【００２２】
図１に示すように、背凭れ体１１をクッション体１の長手方向一端部に装着した場合、利用者Ｕは、図２に示すようにクッション体１の上面に脚を投げ出した姿勢を取ることができ、図４の鎖線１１Ｘで示す前後方向の一端部に装着した場合には利用者は脚を折り曲げてクッション体１の上面から降ろした状態で着座することができる。つまり、利用者の利用形態に応じて背凭れ体１１の取付け位置を変えることができる。
【００２３】
図２に示すようにクッション体１の長手方向一端部に設けられた背凭れ体１１に利用者Ｕが寄り掛かると、背凭れ部材１３に加わる利用者Ｕの荷重によってこの背凭れ部材１３が後方へわずかにずれながらクッション体１を圧縮変形させて下方へ沈み込む。それと同時に、背凭れフレーム１２は当接部１４の先端部Ａがベースフレーム２の下面に圧接し、その先端部Ａを支点として矢印Ｂで示す後方へ回動変位する。
【００２４】
つまり、背凭れ体１１に利用者Ｕが寄り掛かると、背凭れ部材１３の下端がクッション体１の上面に食い込み、当接部１４の先端部Ａがベースフレーム２の下面に圧接する。
【００２５】
それによって、背凭れ体１１の後方への移動が阻止されるから、この背凭れ体１１がクッション体１から外れることなく、安定した状態で利用することができる。
【００２６】
しかも、背凭れ部材１３は、クッション体１の上面を弾性変形させながら下方へ変位することで、前後方向に弾性的に変位する。それによって、背凭れ部材１３には前後方向にクッション性が生じるから、この背凭れ部材１３に寄り掛かった利用者Ｕは快適に支持されることになる。
【００２７】
背凭れフレーム１２の当接部１４は側面形状が直線状であるから、利用者Ｕが背凭れ体１１に寄り掛かることで矢印Ｂ方向に回動しても、先端部はベースフレーム２の短尺桟２ｂに確実に圧接する。そのため、そのことによっても、背凭れ体１１をクッション体１に確実に保持することができる。
【００２８】
クッション体１をベッドとして利用する場合には、図１に示すように、背凭れ体１１に利用者Ｕの荷重が加わっていない状態で、この背凭れ体１１を矢印Ｚ方向へスライドさせる。それによって、背凭れ体１１をクッション体１から取り外すことができるから、クッション体１の上面全体をベッド面として有効に利用することができる。
【００２９】
図６はこの発明の第２の実施の形態を示すクッション体１Ａの変形例である。このクッション体１Ａは下面四隅部に脚体３が設けられた載置板１５を有する。この載置板１５上にはマットレス１６が載置され、このマットレス１６と上記載置板１５とでクッション体１Ａを構成している。
【００３０】
そして、背凭れ体１１は、背凭れ部材１３の下端と当接部１４とで、マットレス１６の上面と載置板１５の下面とを挟持する状態で取り付けられる。
【００３１】
図７と図８（ａ），（ｂ）はこの発明の第３の実施の形態を示す。この実施の形態はクッション体１は図７に示すようにベースフレーム２の下面全体に板材２１が設けられ、この板材２１の下面四隅部に脚体３が設けられている。
【００３２】
一方、背凭れ体１１Ａは、図８（ａ），（ｂ）に示すように背凭れフレーム１２の側面形状が一対の湾曲部１２ａによって円弧状に形成されているという点では第１の実施の形態と同じであるが、当接部１４Ａが一対の上記湾曲部１２ａの先端を直線部分で連結して形成されており、第１の実施の形態のように前方へ突出する直線状の当接部１４が設けられていないという点で相違している。
【００３３】
上記構成の背凭れ体１１Ａを図７に示すクッション体１の長手方向一端部に装着し、利用者がその背凭れ部材１３に寄り掛かると、当接部１４Ａはベースフレーム２の下面の板材２１に圧接する。つまり、上記当接部１４Ａが第１の実施の形態の当接部１４のように前方に延出された直線状でなくとも、上記当接部１４Ａを板材２１に確実に当接することになる。
【００３４】
図９はこの発明の第４の実施の形態を示す。この実施の形態は背凭れ体１１Ｂの変形例で、この背凭れ体１１Ｂの背凭れフレーム１２ｂの側面形状はコ字状であって、当接部１４Ｂは背凭れフレーム１２ｂの先端部をＬ字状に屈曲形成している。
【００３５】
なお、クッション体１は、矩形状の板部材２２の上面にウレタンフォームなどの弾性材２３を積層し、この積層体を外装地２４によって被覆して形成されている。
【００３６】
したがって、この場合も、当接部１４Ｂが屈曲部であっても、背凭れ体１１に利用者が寄り掛かったときに、背凭れフレーム１２ｂが鎖線で示すように変位し、上記当接部１４Ｂがクッション体１の下面に確実に圧接するから、背凭れ体１１Ｂがクッション体１から抜け出るのを防止することになる。
【００３７】
図１０はこの発明の第５の実施の形態を示す。この実施の形態は基体の変形例である。上記第１乃至第４の実施の形態では、基体としてのクッション体を用いたが、この実施の形態の基体１Ｂは硬質な矩形状の板状部材３１の下面四隅部に脚体３を設けて形成されている。そして、この基体１Ｂの一端部には背凭れ体１３が着脱可能に装着される。
【００３８】
この背凭れ体１３は図８（ａ），（ｂ）に示す構造と同じ構造であるが、当接部１４Ａにゴムなどの滑り止め部材３２が装着されているという点で相違している。
【００３９】
上記板状部材３１の上面には座用クッション３３が着脱可能に載置される。座用クッション３３に利用者が着座して背凭れ体１１Ａの背凭れ部材１３に寄り掛かると、背凭れ部材１３の下端が板状部材３１の上面に当接し、当接部１４Ａに設けられた滑り止め部材３２が下面に当接する。
【００４０】
つまり、板状部材３１の下面に当接する当接部１４Ａの滑り止め部材３２は、板状部材３１の上面に当接する背凭れ部材１３の下端よりも、板状部材３１の内方に位置している。そのため、利用者が背凭れ体１１Ａに寄り掛かると、背凭れ部材１３の下端と当接部１４Ａとが板状部材３１に確実に圧接するから、この背凭れ体１１Ａが後方へずれ動くのが阻止される。
【００４１】
なお、背凭れ体の背凭れ部材を基板とクッション材とから構成したが、所定の大きさの板状部材だけで構成してもよく、要は利用者が寄り掛かったときに、下端が基体の上面に圧接すればよい。また、背凭れ体の背凭れフレームは、パイプ材を所定の形状に曲成して形成したが、所定の幅寸法を有する合板や金属板を側面形状が円弧状やコ字状などになるよう曲成して形成してもよい。
【００４２】
【発明の効果】
請求項１の発明によれば、背凭れ体は、背凭れ部材と当接部によって基体を挟み込む状態で設けられるから、クッション体に対して着脱可能であり、しかも取付け位置に制限を受けることがない。
【００４３】
しかも、当接部が基体の下面に当接する位置が背もたれクッションの下端が基体の上面に当接する位置よりも、クッション体の内方にある。
【００４４】
そのため、利用者が背凭れ部材に寄り掛かると、背凭れ部材の下端と当接部とが基体の上面と下面とにそれぞれ確実に当接するから、背凭れ体が後方へずれ動くことがない。つまり、背凭れ体が基体に着脱可能に設けられているにも係らず、利用者は背凭れ体に寄り掛かることができる。
【図面の簡単な説明】
【図１】この発明の第１の実施の形態を示すクッション体の断面図。
【図２】同じくクッション体に装着された背凭れ体に利用者が寄り掛かった状態の断面図。
【図３】同じくクッション体を下面側から見た平面図。
【図４】同じくクッション体の斜視図。
【図５】（ａ）は同じく背凭れ体の正面図、（ｂ）は同じく背凭れ体の側面図。
【図６】この発明の第２の実施の形態を示すクッション体の斜視図。
【図７】この発明の第３の実施の形態を示すクッション体の一部分の断面図。
【図８】（ａ）は同じく背凭れ体の正面図、（ｂ）は同じく背凭れ体の側面図。
【図９】この発明の第４の実施の形態を示すクッション体の一部分の断面図。
【図１０】この発明の第５の実施の形態を示すソファー装置の側面図。
【符号の説明】
１…クッション体
１１…背凭れ体
１２…背凭れフレーム
１３…背凭れ部材
１４…当接部
【図１】
0003754860.tif 000002
【図２】
0003754860.tif 000003
【図３】
0003754860.tif 000004
【図４】
0003754860.tif 000005
【図５】
0003754860.tif 000006
【図６】
0003754860.tif 000007
【図７】
0003754860.tif 000008
【図８】
0003754860.tif 000009
【図９】
0003754860.tif 000010
【図１０】
0003754860.tif 000011